(57)【要約】  本発明は、送信端、受信端、並びに、シングルキャリアシステム及びマルチキャリアシステムの共存のための方法を提供する。シングルキャリアシステム及びマルチキャリアシステムの共存のための信号送信方法は、送信端が、シングルキャリアシステムによって送信されるべき第１の信号に対応する第１の周波数帯域を、マルチキャリアシステムによって送信されるべき第２の信号に対応する第２の周波数帯域に変調して、少なくとも第１の信号及び／又は第２の信号を含む送信信号を得る段階であって、第１のサブチャネルの中心周波数と、第２のサブチャネルの中心周波数との間隔は、２つの隣接する第２のサブチャネルの間隔の整数倍であり、第１のサブチャネルに対応する信号帯域幅は、第２のサブチャネルに対応する信号帯域幅より小さいか又はそれに等しい、段階と、受信端が、第１の信号及び第２の信号の受信を完了するように、受信端に送信信号を送信する段階と、を含む。上記方法を使用することによって、本発明は、信号送信中の、シングルキャリアシステムとマルチキャリアシステムとの間の相互干渉を低減させ、複数のスペクトル資源が複数の異種システムの間で共有されることを保証し、スペクトル利用率を改善し得る。
2016531527.tif 000002
【特許請求の範囲】
【請求項１】
シングルキャリアシステム及びマルチキャリアシステムの共存のための信号送信方法であって、
送信信号を得るべく、送信端が、前記シングルキャリアシステムによって送信されるべき第１の信号に対応する第１の周波数帯域を、前記マルチキャリアシステムによって送信されるべき第２の信号に対応する第２の周波数帯域に変調する段階であって、前記送信信号は少なくとも前記第１の信号及び／又は前記第２の信号を含み、前記第１の信号は複数の第１のサブチャネルによって伝送され、前記第２の信号は複数の第２のサブチャネルによって伝送され、前記複数の第１のサブチャネルのそれぞれの中心周波数と、前記複数の第２のサブチャネルのそれぞれの中心周波数との間隔は、２つの隣接する第２のサブチャネルの間隔の整数倍であり、前記第１のサブチャネルに対応する信号帯域幅は、前記第２のサブチャネルに対応する信号帯域幅より小さいか又はそれに等しい、段階と、
受信端が前記第１の信号及び前記第２の信号の受信を完了するように、前記送信信号を前記受信端に送信する段階と、を備える
方法。
【請求項２】
ガードインターバルを、前記第１の周波数帯域と前記第２の周波数帯域との間に設定する段階を備える
請求項１に記載の方法。
【請求項３】
前記送信端が基地局であり、前記受信端が携帯電話である場合、送信信号を得るべく、送信端が、前記シングルキャリアシステムによって送信されるべき第１の信号に対応する第１の周波数帯域を、前記マルチキャリアシステムによって送信されるべき第２の信号に対応する第２の周波数帯域に変調する前記段階は、
前記シングルキャリアシステムによって送信されるべき前記第１の信号に対応する前記第１の周波数帯域を取得すべく、前記送信端が、送信されるべき通信データに対して、チャネルコーディング、コンスタレーション図のマッピング、マルチレートフィルタリング、及びアップコンバージョンを連続的に実行し、共存周波数帯域を得るべく、前記第１の周波数帯域を、前記マルチキャリアシステムによって送信されるべき前記第２の信号に対応する前記第２の周波数帯域に変調する段階と、
前記送信信号を得るべく、前記共存周波数帯域に対応するデジタル信号に対してデジタル−アナログ変換を実行する段階と、を含む
請求項１に記載の方法。
【請求項４】
前記送信端が携帯電話であり、前記受信端が基地局である場合、送信信号を得るべく、送信端が、前記シングルキャリアシステムによって送信されるべき第１の信号に対応する第１の周波数帯域を、前記マルチキャリアシステムによって送信されるべき第２の信号に対応する第２の周波数帯域に変調する前記段階は、
前記送信端が、前記シングルキャリアシステムによって送信されるべき通信データ、及び前記マルチキャリアシステムによって送信されるべき通信データに対して別々に、チャネルコーディング、コンスタレーション図のマッピング、及びデジタル−アナログ変換を連続的に実行する段階と、
前記第１の信号に対応する前記第１の周波数帯域を取得すべく、前記シングルキャリアシステムによって送信されるべき前記第１の信号、及び前記マルチキャリアシステムによって送信されるべき前記第２の信号であって、デジタル−アナログ変換が実行された前記第１の信号及び前記第２の信号に対してアップコンバージョンを実行し、共存周波数帯域と、前記共存周波数帯域に対応する前記送信信号とを得るべく、前記第１の周波数帯域を、前記第２の信号に対応する前記第２の周波数帯域に変調する段階と、を含む
請求項１に記載の方法。
【請求項５】
前記シングルキャリアシステムはＧＳＭ（登録商標）システムであり、前記マルチキャリアシステムはＯＦＤＭシステムである
請求項１に記載の方法。
【請求項６】
送信信号を得るべく、シングルキャリアシステムによって送信されるべき第１の信号に対応する第１の周波数帯域を、マルチキャリアシステムによって送信されるべき第２の信号に対応する第２の周波数帯域に変調するよう構成される処理ユニットであって、前記送信信号は、少なくとも前記第１の信号及び／又は前記第２の信号を含み、前記第１の信号は複数の第１のサブチャネルによって伝送され、前記第２の信号は複数の第２のサブチャネルによって伝送され、前記第１のサブチャネルの中心周波数と前記第２のサブチャネルの中心周波数との間隔は、２つの隣接する第２のサブチャネルの間隔の整数倍であり、前記第１のサブチャネルに対応する信号帯域幅は、前記第２のサブチャネルに対応する信号帯域幅より小さいか又はそれに等しい、処理ユニットと、
前記処理ユニットによって得られる前記送信信号を受信し、受信端に前記送信信号を送信して、その結果、前記受信端が前記第１の信号及び前記第２の信号の受信を完了するよう構成される送信ユニットと、を備える
送信端。
【請求項７】
前記処理ユニットは、前記第１の周波数帯域と前記第２の周波数帯域との間にガードインターバルを設定する
請求項６に記載の送信端。
【請求項８】
前記送信端が基地局であり、前記受信端が携帯電話である場合、前記処理ユニットは、前記シングルキャリアシステムによって送信されるべき前記第１の信号に対応する前記第１の周波数帯域を取得すべく、送信されるべき通信データに対してチャネルコーディング、コンスタレーション図のマッピング、マルチレートフィルタリング、及びアップコンバージョンを連続的に実行し、共存周波数帯域を得るべく、前記第１の周波数を、前記第２の信号に対応する前記第２の周波数帯域に変調し、前記送信信号を得るべく、前記共存周波数帯域に対応する信号に対してデジタル−アナログ変換を実行するようさらに構成される
請求項６に記載の送信端。
【請求項９】
前記送信端が携帯電話であり、前記受信端が基地局である場合、前記処理ユニットは、前記シングルキャリアシステムによって送信されるべき通信データ、及び前記マルチキャリアシステムによって送信されるべき通信データに対して別々に、チャネルコーディング、コンスタレーション図のマッピング、及びデジタル−アナログ変換を連続的に実行し、前記シングルキャリアシステムによって送信されるべき前記第１の信号に対応する前記第１の周波数帯域を取得すべく、デジタル−アナログ変換が実行された前記第１の信号及び前記第２の信号に対してアップコンバージョンを実行し、共存周波数帯域と、前記共存周波数帯域に対応する前記送信信号とを得るべく、前記第１の周波数帯域を、前記マルチキャリアシステムによって送信されるべき前記第２の信号に対応する前記第２の周波数帯域に変調するようさらに構成される
請求項６に記載の送信端。
【請求項１０】
前記シングルキャリアシステムはＧＳＭ（登録商標）システムであり、前記マルチキャリアシステムはＯＦＤＭシステムである
請求項６に記載の送信端。
【請求項１１】
シングルキャリアシステム及びマルチキャリアシステムの共存のための信号受信方法であって、
受信端が、送信端によって送信される送信信号を受信する段階であって、前記送信信号は、少なくとも第１の信号及び／又は第２の信号を含み、前記シングルキャリアシステムによって送信される前記第１の信号に対応する第１の周波数帯域は、前記マルチキャリアシステムによって送信される前記第２の信号に対応する第２の周波数帯域に変調され、前記第１の信号は複数の第１のサブチャネルによって伝送され、前記第２の信号は複数の第２のサブチャネルによって伝送され、前記第１のサブチャネルの中心周波数と、前記第２のサブチャネルの中心周波数との間隔は、２つの隣接する第２のサブチャネルの間隔の整数倍であり、前記第１のサブチャネルに対応する信号帯域幅は、前記第２のサブチャネルに対応する信号帯域幅より小さいか又はそれに等しい、段階と、
前記受信端が、前記シングルキャリアシステムによって送信される前記第１の信号と、前記マルチキャリアシステムによって送信される前記第２の信号との受信を完了する段階と、を備える
方法。
【請求項１２】
受信端が、送信端によって送信される送信信号を受信する前記段階の後、
対応するデジタル信号を得るべく、前記送信信号に対してアナログ−デジタル変換を実行する段階と、
前記第１の信号に対応する前記第１の周波数帯域と、前記第２の信号に対応する前記第２の周波数帯域とを復調し、前記シングルキャリアシステムによって送信される前記第１の信号と、前記マルチキャリアシステムによって送信される前記第２の信号とを取得すべく、前記デジタル信号に対してダウンコンバージョンを実行する段階と、
対応する通信データを得るべく、前記第１の信号及び前記第２の信号に対して別々に、コンスタレーション図の解析、及びチャネルデコードを連続的に実行する段階と、を備える
請求項１１に記載の方法。
【請求項１３】
前記シングルキャリアシステムはＧＳＭ（登録商標）システムであり、前記マルチキャリアシステムはＯＦＤＭシステムであり、前記送信端は携帯電話であり、前記受信端は基地局であるか、又は前記送信端は基地局であり、前記受信端は携帯電話である
請求項１１に記載の方法。
【請求項１４】
送信端によって送信される送信信号を受信するよう構成される受信ユニットであって、前記送信信号は、少なくとも第１の信号及び／又は第２の信号を含み、シングルキャリアシステムによって送信される前記第１の信号に対応する第１の周波数帯域は、マルチキャリアシステムによって送信される前記第２の信号に対応する第２の周波数帯域に変調され、前記第１の信号は複数の第１のサブチャネルによって伝送され、前記第２の信号は複数の第２のサブチャネルによって伝送され、前記第１のサブチャネルの中心周波数と、前記第２のサブチャネルの中心周波数との間隔は、２つの隣接する第２のサブチャネルの間隔の整数倍であり、前記第１のサブチャネルに対応する信号帯域幅は、前記第２のサブチャネルに対応する信号帯域幅より小さいか又はそれに等しい、受信ユニットと、
前記受信ユニットによって受信される前記送信信号に従って、前記シングルキャリアシステムによって送信される前記第１の信号、及び、前記マルチキャリアシステムによって送信される前記第２の信号の受信を完了するよう構成される処理ユニットと、を備える
受信端。
【請求項１５】
前記処理ユニットは、対応するデジタル信号を得るべく、前記送信信号に対してアナログ−デジタル変換を実行し、前記第１の信号に対応する前記第１の周波数帯域と、前記第２の信号に対応する前記第２の周波数帯域とを復調して、前記シングルキャリアシステムによって送信される前記第１の信号と、前記マルチキャリアシステムによって送信される前記第２の信号とを取得すべく、前記デジタル信号に対してダウンコンバージョンを実行するようさらに構成され、前記処理ユニットは、対応する通信データを得るべく、前記第１の信号及び前記第２の信号に対して別々に、コンスタレーション図の解析及びチャネルデコードを連続的に実行するようさらに構成される
請求項１４に記載の受信端。
【請求項１６】
前記シングルキャリアシステムはＧＳＭ（登録商標）システムであり、前記マルチキャリアシステムはＯＦＤＭシステムであり、前記送信端は携帯電話であり、前記受信端は基地局であるか、又は前記送信端は基地局であり、前記受信端は携帯電話である
請求項１４に記載の受信端。
【発明の詳細な説明】
【技術分野】
【０００１】
［関連出願の相互参照］
本願は、２０１３年９月１７日に中国特許庁に出願され、「ＴＲＡＮＳＭＩＴ  ＥＮＤ，  ＲＥＣＥＩＶＥ  ＥＮＤ，  ＡＮＤ  ＭＥＴＨＯＤ  ＦＯＲ  ＣＯＥＸＩＳＴＥＮＣＥ  ＯＦ  ＳＩＮＧＬＥ  ＣＡＲＲＩＥＲ  ＳＹＳＴＥＭ  ＡＮＤ  ＭＵＬＴＩＣＡＲＲＩＥＲ  ＳＹＳＴＥＭ」と題する中国特許出願第２０１３１０４２６０７６．６号への優先権を主張し、当該出願はその全体が参照によって本明細書に組み込まれる。
【０００２】
本発明は通信技術分野に関し、特に、送信端、受信端、並びに、シングルキャリアシステム及びマルチキャリアシステムの共存方法に関する。
【背景技術】
【０００３】
現在、通信サービスへの高まる需要は世界中でスペクトル資源を圧迫している。スペクトル資源は限られているので、スペクトル利用率の改善方法、及び既存のスペクトルの効率的な使用方法は、競争力を高めるための、事業者らの重要な手段になった。
【０００４】
従来技術において、シングルキャリアシステム及びマルチキャリアシステムの共存による信号送信は広く使用されてきた。信号送信に１つのキャリア周波数又は１つのキャリアのみを使用するシステムは、シングルキャリアシステム（Ｓｉｎｇｌｅ  Ｃａｒｒｉｅｒ  Ｓｙｓｔｅｍ）と称される。信号送信に複数のキャリア周波数又は複数のキャリアを使用するシステムは、マルチキャリアシステム（Ｍｕｌｔｉ  Ｃａｒｒｉｅｒ  Ｓｙｓｔｅｍ）と称される。シングルキャリアシステムは、実際の信号送信において比較的狭い信号帯域幅と比較的高いスペクトル密度を有するので、マルチキャリア信号は、シングルキャリア信号に割り当てられる帯域幅に追加される比較的に低いノイズに単に等しく、シングルキャリアシステムに対して極めて低い干渉を有する。しかしながら、マルチキャリア信号と比較して、シングルキャリア信号は狭帯域の干渉信号であり、マルチキャリア信号の受信端において極めて簡単にスペクトル拡散を引き起こす。それにより、マルチキャリア信号の送信を著しく妨害し、マルチキャリアシステムの性能を低減させ、スペクトル利用率に影響を与える。
【発明の概要】
【０００５】
このことを考慮し、本発明の複数の実施形態は、送信端、受信端、並びに、シングルキャリアシステム及びマルチキャリアシステムの共存方法を提供して、信号送信中のシングルキャリアシステムとマルチキャリアシステムとの間の相互干渉を低減させ、複数の異種システムの間で複数のスペクトル資源が共有されることを保証し、スペクトル利用率を改善する。
【０００６】
第１の態様は、送信信号を得るべく、送信端が、シングルキャリアシステムによって送信されるべき第１の信号に対応する第１の周波数帯域を、マルチキャリアシステムによって送信されるべき第２の信号に対応する第２の周波数帯域に変調する段階であって、送信信号は少なくとも第１の信号及び／又は第２の信号を含み、第１の信号は複数の第１のサブチャネルによって伝送され、第２の信号は複数の第２のサブチャネルによって伝送され、第１のサブチャネルの中心周波数と第２のサブチャネルの中心周波数との間隔は、２つの隣接する第２のサブチャネルの間隔の整数倍であり、第１のサブチャネルに対応する信号帯域幅は、第２のサブチャネルに対応する信号帯域幅より小さいか又はそれに等しい、段階と、受信端が第１の信号及び第２の信号の受信を完了するように、送信信号を受信端に送信する段階とを含む、シングルキャリアシステム及びマルチキャリアシステムの共存のための信号送信方法を提供する。
【０００７】
第１の態様の実施例、又は第１の可能な実施例を参照すると、当該方法は、第１の周波数帯域と第２の周波数帯域との間のガードインターバルを設定する段階を含む。
【０００８】
第１の態様の実施例を参照すると、第２の可能な実施例において、送信端が基地局であり、受信端が携帯電話である場合、送信信号を得るべく、送信端が、シングルキャリアシステムによって送信されるべき第１の信号に対応する第１の周波数帯域をマルチキャリアシステムによって送信されるべき第２の信号に対応する第２の周波数帯域に変調する段階は、シングルキャリアシステムによって送信されるべき第１の信号に対応する第１の周波数帯域を取得すべく、送信端が、送信されるべき通信データに対してチャネルコーディング、コンスタレーション図のマッピング、マルチレートフィルタリング、及びアップコンバージョンを連続的に実行し、共存周波数帯域を得るべく、第１の周波数帯域をマルチキャリアシステムによって送信されるべき第２の信号に対応する第２の周波数帯域に変調する段階と、送信信号を得るべく、共存周波数帯域に対応するデジタル信号に対してデジタル−アナログ変換を実行する段階と、を含む。
【０００９】
第１の態様の実施例を参照して、第３の可能な実施例において、送信端が携帯電話であり、受信端が基地局である場合、送信信号を得るべく、送信端が、シングルキャリアシステムによって送信されるべき第１の信号に対応する第１の周波数帯域を、マルチキャリアシステムによって送信されるべき第２の信号に対応する第２の周波数帯域に変調する段階は、送信端が、シングルキャリアシステムによって送信されるべき通信データ及びマルチキャリアシステムによって送信されるべき通信データに対して別々に、チャネルコーディング、コンスタレーション図のマッピング、及びデジタル−アナログ変換を連続的に実行する段階と、第１の信号に対応する第１の周波数帯域を取得すべく、シングルキャリアシステムによって送信されるべき第１の信号及びマルチキャリアシステムによって送信されるべき第２の信号であって、デジタル−アナログ変換が実行された第１の信号及び第２の信号、に対してアップコンバージョンを実行する段階と、共存周波数帯域、及び共存周波数帯域に対応する送信信号を得るべく、第１の周波数帯域を、第２の信号に対応する第２の周波数帯域に変調する段階と、を含む。
【００１０】
第１の態様の実施例を参照すると、第４の可能な実施例において、シングルキャリアシステムはＧＳＭ（登録商標）システムであり、マルチキャリアシステムはＯＦＤＭシステムである。
【００１１】
第２の態様は、送信信号を得るべく、シングルキャリアシステムによって送信されるべき第１の信号に対応する第１の周波数帯域を、マルチキャリアシステムによって送信されるべき第２の信号に対応する第２の周波数帯域に変調するよう構成される処理ユニットであって、当該送信信号は、少なくとも、第１の信号及び／又は第２の信号を含み、第１の信号は複数の第１のサブチャネルによって伝送され、第２の信号は複数の第２のサブチャネルによって伝送され、第１のサブチャネルの中心周波数と第２のサブチャネルの中心周波数との間隔は、２つの隣接する第２のサブチャネルの間隔の整数倍であり、第１のサブチャネルに対応する信号帯域幅は、第２のサブチャネルに対応する信号帯域幅より小さいか又はそれに等しい、処理ユニットと、処理ユニットによって得られる送信信号を受信し、受信端に送信信号を送信して、その結果、受信端が第１の信号及び第２の信号の受信を完了するよう構成される送信ユニットと、を含む送信端を提供する。
【００１２】
第２の態様の実施例を参照すると、第１の可能な実施例において、処理ユニットは、第１の周波数帯域と第２の周波数帯域との間にガードインターバルを設定する。
【００１３】
第２の態様の実施例を参照すると、第２の可能な実施例において、送信端が基地局であり、受信端が携帯電話である場合、処理ユニットは、送信されるべき通信データに対して、チャネルコーディング、コンスタレーション図のマッピング、マルチレートフィルタリング、及びアップコンバージョンを連続的に実行して、シングルキャリアシステムによって送信されるべき第１の信号に対応する第１の周波数帯域を取得し、第１の周波数帯域を、第２の信号に対応する第２の周波数帯域に変調して、共存周波数帯域を得、共存周波数帯域に対応する信号に対してデジタル−アナログ変換を実行して、送信信号を得るようさらに構成される。
【００１４】
第２の態様の実施例を参照して、第３の可能な実施例において、送信端が携帯電話であり、受信端が基地局である場合、処理ユニットは、シングルキャリアシステムによって送信されるべき通信データ、及びマルチキャリアシステムによって送信されるべき通信データに対して別々に、チャネルコーディング、コンスタレーション図のマッピング、及びデジタル−アナログ変換を連続的に実行し、デジタル−アナログ変換が実行された第１の信号及び第２の信号に対してアップコンバージョンを実行して、シングルキャリアシステムによって送信されるべき第１の信号に対応する第１の周波数帯域を取得し、第１の周波数帯域を、マルチキャリアシステムによって送信されるべき第２の信号に対応する第２の周波数帯域に変調して、共存周波数帯域、及び共存周波数帯域に対応する送信信号を得るようさらに構成される。
【００１５】
第２の態様の実施例を参照すると、第４の可能な実施例において、シングルキャリアシステムはＧＳＭ（登録商標）システムであり、マルチキャリアシステムはＯＦＤＭシステムである。
【００１６】
第３の態様は、シングルキャリアシステム及びマルチキャリアシステムの共存のための信号受信方法を提供する。当該方法は、送信端によって送信される送信信号を受信端が受信する段階であって、送信信号は、少なくとも第１の信号及び／又は第２の信号を含み、シングルキャリアシステムによって送信される第１の信号に対応する第１の周波数帯域は、マルチキャリアシステムによって送信される第２の信号に対応する第２の周波数帯域に変調され、第１の信号は複数の第１のサブチャネルによって伝送され、第２の信号は複数の第２のサブチャネルによって伝送され、第１のサブチャネルの中心周波数と第２のサブチャネルの中心周波数との間隔は、２つの隣接する第２のサブチャネルの間隔の整数倍であり、第１のサブチャネルに対応する信号帯域幅は、第２のサブチャネルに対応する信号帯域幅より小さいか又はそれに等しい、段階と、シングルキャリアシステムによって送信される第１の信号、及び、マルチキャリアシステムによって送信される第２の信号の受信を受信端が完了する段階と、を含む。
【００１７】
第３の態様の実施例を参照すると、第１の可能な実施例において、送信端によって送信される送信信号を受信端が受信した後、当該方法は、対応するデジタル信号を得るべく、送信信号に対してアナログ−デジタル変換を実行する段階と、第１の信号に対応する第１の周波数帯域、及び第２の信号に対応する第２の周波数帯域を復調し、シングルキャリアシステムによって送信される第１の信号、及びマルチキャリアシステムによって送信される第２の信号を取得すべく、デジタル信号に対してダウンコンバージョンを実行する段階と、対応する通信データを得るべく、第１の信号及び第２の信号に対して別々に、コンスタレーション図の解析（ｃｏｎｓｔｅｌｌａｔｉｏｎ  ｄｉａｇｒａｍ  ｐａｒｓｉｎｇ）、及びチャネルのデコードを連続的に実行する段階と、を含む。
【００１８】
第３の態様の実施例を参照して、第２の可能な実施例において、シングルキャリアシステムはＧＳＭ（登録商標）システムであり、マルチキャリアシステムはＯＦＤＭシステムであり、送信端は携帯電話であり、受信端は基地局であるか、又は送信端は基地局であり、受信端は携帯電話である。
【００１９】
第４の態様は受信端を提供する。当該受信端は、送信端によって送信される送信信号を受信するよう構成される受信ユニットであって、当該送信信号は、少なくとも第１の信号及び／又は第２の信号を含み、シングルキャリアシステムによって送信される第１の信号に対応する第１の周波数帯域は、マルチキャリアシステムによって送信される第２の信号に対応する第２の周波数帯域に変調され、第１の信号は複数の第１のサブチャネルによって伝送され、第２の信号は複数の第２のサブチャネルによって伝送され、第１のサブチャネルの中心周波数と第２のサブチャネルの中心周波数との間隔は、２つの隣接する第２のサブチャネルの間隔の整数倍であり、第１のサブチャネルに対応する信号帯域幅は、第２のサブチャネルに対応する信号帯域幅より小さいか又はそれに等しい、受信ユニットと、受信ユニットによって受信される送信信号に従って、シングルキャリアシステムによって送信される第１の信号、及びマルチキャリアシステムによって送信される第２の信号の受信を完了するよう構成される処理ユニットと、を含む。
【００２０】
第４の態様の実施例を参照すると、第１の可能な実施例において、当該処理ユニットは、送信信号に対してアナログ−デジタル変換を実行して、対応するデジタル信号を得、デジタル信号にダウンコンバージョンを実行して、第１の信号に対応する第１の周波数帯域、及び第２の信号に対応する第１の周波数帯域を復調し、シングルキャリアシステムによって送信される第１の信号、及びマルチキャリアシステムによって送信される第２の信号を取得するようさらに構成され、処理ユニットは、第１の信号及び第２の信号に対して別々に、コンスタレーション図の解析及びチャネルのデコードを連続的に実行して、対応する通信データを得るようさらに構成される。
【００２１】
第４の態様の実施例を参照して、第２の可能な実施例において、シングルキャリアシステムはＧＳＭ（登録商標）システムであり、マルチキャリアシステムはＯＦＤＭシステムであり、送信端は携帯電話であり、受信端は基地局であるか、又は、送信端は基地局であり、受信端は携帯電話である。
【００２２】
上記の複数の解決手段を使用することによって、本発明は、以下の複数の有益な効果を上げる。本発明は、送信端が、シングルキャリアシステムによって送信されるべき第１の信号に対応する第１の周波数帯域を、マルチキャリアシステムによって送信されるべき第２の信号に対応する第２の周波数帯域に変調して、少なくとも、第１の信号及び／又は第２の信号を含む送信信号を得、受信端に送信信号を送信し、その結果、受信端が、第１の信号及び第２の信号の受信を完了することを意図する。第１の信号は複数の第１のサブチャネルによって伝送され、第２の信号は複数の第２のサブチャネルによって伝送される。第１のサブチャネルの中心周波数と、第２のサブチャネルの中心周波数との間隔は、２つの隣接する第２のサブチャネルの間隔の整数倍であり、その結果、第１の信号及び第２の信号は、受信中の近接した周波数と、低い相互干渉とを有する。加えて、第１のサブチャネルに対応する信号帯域幅は、第２のサブチャネルに対応する信号帯域幅より小さいか又はそれに等しく、その結果、シングルキャリアシステムは、マルチキャリアシステムと比較して、単なる比較的に低いノイズであり、極めて低い干渉を有する。上記に基づいて、本発明は、信号送信中の、シングルキャリアシステムとマルチキャリアシステムとの間の相互干渉を低減させ、複数の異種システムの間で複数のスペクトル資源が共有されることを保証し、スペクトル利用率を改善し得る。
【図面の簡単な説明】
【００２３】
本発明の複数の実施形態において、複数の技術的解決手段をより明確に説明すべく、複数の実施形態を説明するために必要とされる複数の添付の図面を以下に簡単に紹介する。明らかに、以下の説明における複数の添付の図面は、単に本発明のいくつかの実施形態を示しているに過ぎず、当業者ならば、創造努力なしに、これらの添付の図面から他の複数の図面をさらに引き出し得る。
【００２４】
【図１】本発明の第１の実施形態に係る、シングルキャリアシステム及びマルチキャリアシステムの共存のための信号送信方法のフローチャートである。
【００２５】
【図２】本発明に係る、シングルキャリアシステム及びマルチキャリアシステムが共存する信号送信アーキテクチャの図である。
【００２６】
【図３】本発明の第１の実施形態に係る、シングルキャリアシステム及びマルチキャリアシステムが共存するときの共存周波数帯域の概略図である。
【００２７】
【図４】本発明の第２の実施形態に係る、シングルキャリアシステム及びマルチキャリアシステムが共存するときの共存周波数帯域の概略図である。
【００２８】
【図５】本発明の第１の実施形態に係る、シングルキャリアシステム及びマルチキャリアシステムの共存のための信号受信方法のフローチャートである。
【００２９】
【図６】本発明の好適な実施形態に係る、シングルキャリアシステム及びマルチキャリアシステムの共存のための信号送信方法のフローチャートである。
【００３０】
【図７】本発明の好適な実施形態に係る、送信端及び受信端の機能ブロック図である。
【００３１】
【図８】本発明の好適な実施形態に係る、送信端及び受信端のハードウェアの概略図である。
【発明を実施するための形態】
【００３２】
本発明の複数の実施形態における複数の添付の図面を参照して、本発明の複数の実施形態における複数の技術的解決手段を以下に明確且つ完全に説明する。説明される複数の実施形態が、本発明の複数の実施形態のうちのいくつかに過ぎず、全てではないことは明らかである。創造努力なしに、本発明の複数の実施形態に基づいて当業者によって得られる他の全ての実施形態は、本発明の保護範囲に含まれる。
【００３３】
本発明は、シングルキャリアシステム及びマルチキャリアシステムの共存のための信号送信方法を提供する。本発明の第１の実施形態に係る、シングルキャリアシステム及びマルチキャリアシステムの共存のための信号送信方法のフローチャートである図１を参照する。この実施形態は、図２において示される信号送信アーキテクチャに基づく。図１において示されるように、この実施形態の信号送信方法は以下を含む。
【００３４】
段階Ｓ１１：送信端２１０は、シングルキャリアシステムによって送信されるべき第１の信号に対応する第１の周波数帯域を、マルチキャリアシステムによって送信されるべき第２の信号に対応する第２の周波数帯域に変調して、少なくとも第１の信号及び／又は第２の信号を含む送信信号を得る。第１の信号は、チャネル２２０の複数の第１のサブチャネルによって伝送され、第２の信号は、チャネル２２０の複数の第２のサブチャネルによって伝送され、第１のサブチャネルの中心周波数は、第２のサブチャネルの中心周波数と揃えられ、第１のサブチャネルに対応する帯域幅は、第２のサブチャネルに対応する帯域幅より小さいか又はそれに等しい。
【００３５】
本発明において、第１のサブチャネルの中心周波数が第２のサブチャネルの中心周波数と揃えられることは、具体的に、第１のサブチャネルの中心周波数と第２のサブチャネルの中心周波数との間隔が、２つの隣接する第２のサブチャネルの間隔の整数倍であるように具現化される。この実施形態において、好ましくは、第１の周波数帯域と第２の周波数帯域との接合部分（ｊｏｉｎｔ）に対応する、最も近接した第１のサブチャネル及び第２のサブチャネルの中心周波数の間隔は、任意の２つの隣接する第２のサブチャネルの間隔の整数倍である。
【００３６】
段階Ｓ１２：送信信号を受信端２３０に送信し、その結果、受信端２３０は、第１の信号及び第２の信号の受信を完了する。
【００３７】
この実施形態は、シングルキャリアシステムによって送信されるべき第１の信号と、マルチキャリアシステムによって送信されるべき第２の信号とを結合して１つの信号にすることと解釈され得、それにより、シングルキャリアシステム及びマルチキャリアシステムの共存を実施する。加えて、シングルキャリアシステムによって送信されるべき第１の信号の中心周波数は、マルチキャリアシステムによって送信されるべき第２の信号の中心周波数と揃えられるように設定され、その結果、第１の信号の周波数及び第２の信号の周波数は極めて近接する。第２の信号への第１の信号の干渉は比較的低く、それに応じて、スペクトル拡散は低減させられ得る。さらに、第１の信号に対応する第１の周波数帯域の帯域幅は、第２の信号に対応する第１の周波数帯域の帯域幅より小さいか又はそれに等しく、チャネル上の第２の信号に対応する総帯域幅は、チャネル上の第１の信号に対応する総帯域幅よりはるかに大きく、その結果、第１の信号は、第２の信号と比較して、単なる比較的に低いノイズであり、極めて低い干渉を有する。
【００３８】
本発明は、第２の実施形態の信号送信方法をさらに提供する。第２の実施形態は、第１の実施形態において開示された信号送信方法に基づいて詳細に説明される。説明の便宜上、送信端２１０が基地局であり、受信端２２０が携帯電話であることが、一例として用いられる。
【００３９】
この実施形態の段階Ｓ１１において、送信端２１０は、まず、ユーザによって送信されるべき通信コンテンツを取得し、当該通信コンテンツを、複数のデータビットを含む通信データへと変換する。次に、送信端２１０は、内蔵のハードウェアデバイス又はソフトウェアプログラムを使用することによって、通信データに対してチャネルコーディングを実行して、通信データの送信中に、チャネル２２０上で最大情報レートが実現されること、及び、最大情報レートにおいて、送信性能が安定していることを保証する。
【００４０】
それから、送信端２１０は、チャネルコーディングが実行された通信データに対してコンスタレーション図のマッピングを実行し、当該通信データに対してデジタル変調を実行する。具体的に、通信データに含まれる複数のデータビットは、以下のやり方でグループ化される。２つまたはそれより多いのデータビットが１つのビットグループを形成する。そして、各グループは、ＱＰＳＫ（Ｑｕａｄｒａｔｕｒｅ  Ｐｈａｓｅ  Ｓｈｉｆｔ  Ｋｅｙｉｎｇ、四位相偏移変調）、ＱＡＭ（Ｑｕａｄｒａｔｕｒｅ  Ａｍｐｌｉｔｕｄｅ  Ｍｏｄｕｌａｔｉｏｎ、直角位相振幅変調）、又は別の変調モードによって、コンスタレーション図中の一コンスタレーションポイントにマッピングされる。この場合、一コンスタレーションポイントは一変調シンボルに対応する。故に、後続の送信において、各送信された変調シンボルに含まれる情報は複数のデータビットであり、それにより、通信データの送信レートを大いに改善する。
【００４１】
次に、送信端２１０は、デジタル変調が実行された通信データに対してマルチレートフィルタリングを実行して、放出中の高周波信号サンプリングレートを改善する。この段階は、従来技術における様々なタイプのマルチレートフィルタを使用することによって実施され得る。
【００４２】
さらに、通信データ対してアップコンバージョンが実行されて、放出及び送信中の信号周波数を改善し、チャネル２２０による高周波の放出及び送信中に必要とされる高い周波数を満足する。段階Ｓ１１、つまり、シングルキャリアシステムによって送信されるべき第１の信号に対応する第１の周波数帯域を、マルチキャリアシステムによって送信されるべき第２の信号に対応する第２の周波数帯域に変調する段階は、アップコンバージョン中に実行されて、図３において示される共存周波数帯域を得ることに注意すべきである。最後に、共存周波数帯域に対応するデジタル信号に対してデジタル−アナログ変換が実行されて、アナログの送信信号が得られる。
【００４３】
図３を参照すると、共存周波数帯域は、シングルキャリアシステムによって送信されるべき第１の信号に対応する第１の周波数帯域３１０と、マルチキャリアシステムによって送信されるべき第２の信号に対応する第２の周波数帯域３２０とを含む。第１の周波数帯域３１０は、第２の周波数帯域３２０の片側に設定される。ガードインターバルＤは、第１の周波数帯域３１０と第２の周波数帯域３２０との間に設定され、Ｄの値は０より大きい。加えて、第１の信号は、チャネル２２０の複数の第１のサブチャネル、すなわち、ｂ１...ｂｎによって伝送される。当該複数の第１のサブチャネルは、複数の等しい又は等しくない信号帯域幅を有する。第２の信号は、チャネル２２０の複数の第２のサブチャネル、すなわち、ａ１...ａｎによって伝送される。当該複数の第２のサブチャネルは複数の等しい又は等しくない信号帯域幅を有する。第１のサブチャネルｂ１及び第２のサブチャネルａ１は、第１の周波数帯域３１０及び第２の周波数帯域３２０の接合部分に位置し、第１のサブチャネルｂ１と第２のサブチャネルａ１との間隔はＥである。任意の２つのサブチャネル、例えば、第２の周波数帯域３２０のａ１及びａ２、の間隔は、Ｆである。第１のサブチャネルｂ１...ｂｎの中心周波数Ａは、第２のサブチャネルａ１...ａｎの中心周波数Ｂと揃えられる。間隔Ｅ＝ｘ×Ｆである。式中、ｘは正の整数である。任意の第１のサブチャネルｂｎに対応する信号帯域幅ｄ１は、任意の第２のサブチャネルａ２に対応する信号帯域幅ｄ２より小さいか又はそれに等しい。つまり、複数の第１のサブチャネルｂ１...ｂｎの信号帯域幅の最大値は、複数の第２のサブチャネルａ１...ａｎの信号帯域幅の最小値より小さいか又はそれに等しい。
【００４４】
シングルキャリアシステムの代表的なものは、ＧＳＭ（登録商標）システム（Ｇｌｏｂａｌ  Ｓｙｓｔｅｍ  ｆｏｒ  Ｍｏｂｉｌｅ  Ｃｏｍｍｕｎｉｃａｔｉｏｎｓ、グローバルシステムフォーモバイルコミュニケーション）であり、マルチキャリアシステムの代表的なものは、ＯＦＤＭシステム（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重システム）である。故に、説明の便宜上、この実施形態は、関連する複数のパラメータを定義すべく、複数の例として、ＧＳＭ（登録商標）システム及びＯＦＤＭシステムを使用する。本発明のシングルキャリアシステム及びマルチキャリアシステムはそれらに限定されないことが理解されるべきである。この実施形態は具体的に以下のようなものである。
【００４５】
１）共存周波数帯域において、ＧＳＭ（登録商標）システムに割り当てられた総信号帯域幅ｄ０は、値が１．０８ＭＨｚ（６ＲＢ）のＢＷ−Ｗｈｏｌｅ−Ｎｅｗである。
【００４６】
２）共存周波数帯域において、ＯＦＤＭシステムの第２のサブチャネル２２２に対応する信号帯域幅は、値が１５ＨｚのＢＷ−Ｓｕｂ−Ｏｌｄである。
【００４７】
３）共存周波数帯域において、ＧＳＭ（登録商標）システムの第１のサブチャネル２２１に対応する信号帯域幅は、値が５ＨｚのＢＷ−Ｓｕｂ−Ｎｅｗである。
【００４８】
４）ガードインターバルＤは、値が６０ＨｚのＧａｐである。
【００４９】
５）ＧＳＭ（登録商標）システムの複数の第１のサブチャネル２２１の中心周波数は、
【数１】
2016531527.tif 000003
である。
【数２】
2016531527.tif 000004
は、ｍ個の第１のサブチャネル２２１の一セットの中心周波数を表し、ｍ∈｛１，２，…，Ｋ｝であり、Ｋは、共存周波数帯域上の対応するシングルキャリアの数であり、Ｋの値は６４である。
【００５０】
６）ＯＦＤＭシステムの複数の第２のサブチャネル２２２の中心周波数は、
【数３】
2016531527.tif 000005
であり、
【数４】
2016531527.tif 000006
である。式中、
【数５】
2016531527.tif 000007
は、ｎ個の第２のサブチャネル２２２の一セットの中心周波数を表し、ｎ∈｛１，２，…，Ｍ｝であり、Ｍは、ＯＦＤＭシステムが共存帯域上に含むサブキャリアの数であり、Ｍの値は２０４８である。
【数６】
2016531527.tif 000008
はＯＦＤＭシステムに対応する周波数帯域の中心周波数を表し、
【数７】
2016531527.tif 000009
は当該中心周波数
【数８】
2016531527.tif 000010
と当該中心周波数
【数９】
2016531527.tif 000011
に最も近接したサブキャリアに対応する第２のサブチャネル２２２の中心周波数との間隔を表わす。
【００５１】
上記の例は、ＧＳＭ（登録商標）システムによる使用のために、ＯＦＤＭシステムの２０Ｍの周波数帯域から、１．０８Ｍの周波数帯域を分割するものと解釈され得る。ＧＳＭ（登録商標）システムの複数の第１のサブチャネル２２１の中心周波数は、ＯＦＤＭシステムの複数の第２のサブチャネル２２２の中心周波数と揃えられる、すなわち、ＧＳＭ（登録商標）システムの複数の第１のサブチャネル２２１の一セットの中心周波数は、ＯＦＤＭシステムの複数の第２のサブチャネル２２２の一サブセットの中心周波数であり、特定のパラメータは、
【数１０】
2016531527.tif 000012
のように表現される。故に、受信端２３０がＧＳＭ（登録商標）システムによって送信される第１の信号と、ＯＦＤＭシステムによって送信される第２の信号とを受信するとき、第１の信号及び第２の信号に対応する周波数は極めて近接しており、第１の信号及び第２の信号は、必要とされる対応するデバイスを共有し得る。加えて、ガードインターバルの設定が、第１の信号及び第２の信号の受信中の相互干渉を低減させる、すなわち、スペクトル拡散によって引き起こされる干渉が低減され得る。加えて、第１のサブチャネル２２１に対応する信号帯域幅は、第２のサブチャネルに対応する信号帯域幅より小さいか又はそれに等しく、特定のパラメータは、ＢＷ−Ｓｕｂ−Ｎｅｗ≦ＢＷ−Ｓｕｂ−Ｏｌｄのように表現され、その結果、シングルキャリアシステムは、マルチキャリアシステムと比較して、単なる比較的に低いノイズであり、極めて低い干渉を有する。
【００５２】
上記に基づいて、この実施形態は、信号送信中の、シングルキャリアシステムとマルチキャリアシステムとの間の相互干渉を低減させ、複数の異種システムの間でスペクトル資源が共有されることを保証し、スペクトル利用率を改善することを可能にし得る。
【００５３】
本発明は、第３の実施形態の信号送信方法をさらに提供する。第３の実施形態は、第２の実施形態において開示された信号送信方法に基づいて詳細に説明される。この実施形態は、一例として、送信端２１０が携帯電話であり、受信端２２０が基地局であることを使用している点で、第２の実施形態と異なる。
【００５４】
この実施形態の段階Ｓ１１において、シングルキャリアシステムの送信端２１０は、送信されるべき通信データに対して、連続的にチャネルコーディング、コンスタレーション図のマッピング、マルチレートフィルタリング、及びデジタル−アナログ変換を個々に実行する。マルチキャリアシステムの送信端２１０は、送信されるべき通信データに対して、連続的にチャネルコーディング、コンスタレーション図のマッピング、及びデジタル−アナログ変換を個々に実行し、マルチレートフィルタリングは実行しない。
【００５５】
次に、シングルキャリアシステムによって送信されるべき第１の信号、及びマルチキャリアシステムによって送信されるべき第２の信号であって、デジタル−アナログ変換が実行された第１の信号及び第２の信号、に対してアップコンバージョンが実行されて、第１の信号に対応する第１の周波数帯域を、第２の信号の対応する第２の周波数帯域に変調し、共存周波数帯域が得られ得る。故に、共存周波数帯域に対応するアナログ信号は、本発明の送信信号である。
【００５６】
本発明は、第４の実施形態の信号送信方法をさらに提供する。第４の実施形態は、第２の実施形態において開示された信号送信方法に基づいて詳細に説明される。この実施形態は以下の点で第２の実施形態と異なる。
【００５７】
段階Ｓ１１においてアップコンバージョンが実行されるとき、シングルキャリアシステムによって送信されるべき第１の信号に対応する第１の周波数帯域３１０は、マルチキャリアシステムによって送信されるべき第２の信号に対応する第２の周波数帯域３２０の間に設定される。つまり、図４において示されるように、第２の周波数帯域３２０は、第１の局所周波数帯域（ｒｅｇｉｏｎａｌ  ｆｒｅｑｕｅｎｃｙ  ｂａｎｄ）３２１及び第２の局所周波数帯域３２２を含み、第１の周波数帯域３２０は、第１の局所周波数帯域３２１と第２の局所周波数帯域３２２との間に設定される。この場合、ガードインターバルは、第１の周波数帯域３１０と第２の局所周波数帯域３２１との間の第１のガードインターバルＧａｐ１、及び、第１の周波数帯域３１０と第２の局所周波数帯域３２２との間の第２のガードインターバルＧａｐ２とを含むＧａｐである。受信端２３０における受信中の相互干渉を回避すべく、この実施形態は、Ｇａｐ１＞０且つＧａｐ２＞０のように設定し、好ましくは、Ｇａｐ１及びＧａｐ２は等しい値に設定され、両方とも６０Ｈｚである。
【００５８】
複数の上記の実施形態における複数のパラメータ、及び複数のパラメータの値は、複数の例を示すために使用されているに過ぎないことが理解されるべきである。複数の他の実施形態においては、当業者は、実際の複数の要求に応じて、他の複数の定義を使用し得る。加えて、本発明の全文において言及される送信端２１０又は受信端２３０は、一例として携帯電話を使用するのであって、当然ながら携帯電話に限定されるものではない。送信端２１０又は受信端２３０は、タブレットコンピュータ等を含むＭ２Ｍ（Ｍａｃｈｉｎｅ  ｔｏ  Ｍａｃｈｉｎｅ、マシンツーマシン）通信機能を有する任意の端末であってよく、同様に、受信端２３０も送信端２１０も、基地局には限定されない。
【００５９】
本発明は、シングルキャリアシステム及びマルチキャリアシステムの共存のための信号受信方法をさらに提供する。この実施形態は、図２において示される信号送信アーキテクチャに基づく。図５において示されるように、この実施形態において開示される信号受信方法は、以下を含む。
【００６０】
段階Ｓ５１：受信端は、送信端によって送信される送信信号を受信する。送信信号は、少なくとも第１の信号及び／又は第２の信号を含み、シングルキャリアシステムによって送信される第１の信号に対応する第１の周波数帯域は、マルチキャリアシステムによって送信される第２の信号に対応する第２の周波数帯域に変調され、第１の信号は複数の第１のサブチャネルによって伝送され、第２の信号は複数の第２のサブチャネルによって伝送され、第１のサブチャネルの中心周波数は、第２のサブチャネルの中心周波数と揃えられ、第１のサブチャネルに対応する信号帯域幅は、第２のサブチャネルに対応する信号帯域幅より小さいか又はそれに等しい。
【００６１】
この実施形態において、具体的に、第２のサブチャネルの中心周波数と揃えられている第１のサブチャネルの中心周波数は、第１の実施形態の段階Ｓ１１のそれと同一である。すなわち、第１の周波数帯域及び第２の周波数帯域の接合部分に対応する、最も近接した第１のサブチャネル及び第２のサブチャネルの中心周波数の間隔は、任意の２つの隣接する第２のサブチャネルの間隔の整数倍である。
【００６２】
段階Ｓ５２：受信端は、シングルキャリアシステムによって送信される第１の信号と、マルチキャリアシステムによって送信される第２の信号との受信を完了する。
【００６３】
この実施形態において、送信端２１０によって送信される送信信号を受信した後、受信端２３０は、アナログの送信信号に対してアナログ−デジタル変換を実行して、対応するデジタル信号を得る。次に、当該デジタル信号に対してダウンコンバージョンが実行されて、デジタル信号の信号周波数を低減させる。同時に、シングルキャリアシステムによって送信される第１の信号と、マルチキャリアシステムによって送信される第２の信号は復調され、その結果、第１の信号はベースバンド信号になり、第２の信号は、周波数帯域信号になる。次に、マルチレートフィルタリングが第１の信号のみに対して実行されて、第１の信号の受信中に高周波信号サンプリングレートを低減させる。最後に、シングルキャリアシステムによって送信される第１の信号に対応する通信データが、コンスタレーション図の解析及びチャネルデコードによって得られる。同時に、コンスタレーション図の解析及びチャネルデコードが第２の信号のみに対して実行されて、マルチキャリアシステムによって送信される第２の信号に対応する通信データが得られる。この実施形態において、受信端２３０による第１の信号及び第２の信号の受信は、シングルキャリアシステム及びマルチキャリアシステムの共存のための上記信号送信方法の逆の手順であると解釈され得る。
【００６４】
本発明は、シングルキャリアシステム及びマルチキャリアシステムの共存のための信号送信方法をさらに提供する。本発明の好適な実施形態に係る信号送信方法のフローチャートである図６を参照する。この実施形態は、図２において示される信号送信アーキテクチャに基づく。図６において示されるように、この実施形態の信号送信方法は以下を含む。
【００６５】
段階Ｓ６１：送信端２１０は、シングルキャリアシステムによって送信されるべき第１の信号に対応する第１の周波数帯域を、マルチキャリアシステムによって送信されるべき第２の信号に対応する第２の周波数帯域に変調して送信信号を得る。第１の信号は、チャネル２２０の複数の第１のサブチャネル２２１によって伝送され、第２の信号は、チャネル２２０の複数の第２のサブチャネル２２２によって伝送され、第１のサブチャネル２２１の中心周波数は、第２のサブチャネル２２２の中心周波数と揃えられ、第１のサブチャネル２２１に対応する帯域幅は、第２のサブチャネル２２２に対応する帯域幅より小さいか又はそれに等しい。
【００６６】
段階Ｓ６２：送信信号を受信端２３０に送信する。
【００６７】
段階Ｓ６３：受信端２３０は、送信端２１０によって送信される送信信号をチャネル２２０を介して受信して、シングルキャリアシステムによって送信される第１の信号と、マルチキャリアシステムによって送信される第２の信号との受信を完了する。
【００６８】
この実施形態は、図１において示される信号送信方法と、図５において示される信号受信方法との組み合わせであると解釈され得る。具体的な手順及び有益な効果については、上記を参照されたい。詳細は本明細書においては再度説明されない。信号送信と信号受信とは逆の手順であるので、実際の適用中には、例えば、マルチレートフィルタリングのためのマルチレートフィルタ、アップコンバージョン及びダウンコンバージョンのための変換器、デジタル−アナログ変換及びアナログ−デジタル変換のためのデジタル−アナログ変換器といった、当該複数の段階を実行する複数の端末装置はコストを低減すべく共有され得ることに注意すべきである。
【００６９】
本発明は、複数の上記の実施形態の信号送信方法及び信号受信方法に基づいて、送信端７１０及び受信端７２０をさらに提供する。図７において示されるように、この実施形態の送信端７１０は、第１の受信ユニット７１１、第１の処理ユニット７１２、及び第１の送信ユニット７１３を含み、受信端７２０は、第２の受信ユニット７２１及び第２の処理ユニット７２２を含む。
【００７０】
第１の受信ユニット７１１は、ユーザによって送信されるべき通信コンテンツを受信するよう構成される。
【００７１】
第１の処理ユニット７１０は、通信コンテンツに従って、シングルキャリアシステムによって送信あれるべき第１の信号と、マルチキャリアシステムによって送信されるべき第２の信号とを取得し、シングルキャリアシステムによって送信されるべき第１の信号に対応する第１の周波数帯域を、マルチキャリアシステムによって送信されるべき第２の信号に対応する第２の周波数帯域に変調し、少なくとも第１の信号及び／又は第２の信号を含む送信信号を得るよう構成される。ここで、第１の信号は複数の第１のサブチャネルによって伝送され、第２の信号は複数の第２のサブチャネルによって伝送され、第１のサブチャネルの中心周波数は、第２のサブチャネルの中心周波数と揃えられ、第１のサブチャネルに対応する信号帯域幅は、第２のサブチャネルに対応する信号帯域幅より小さいか又はそれに等しい。
【００７２】
第１の送信ユニット７１３は、受信端７２０に送信信号を送信するよう構成される。
【００７３】
第２の受信ユニット７２１は、送信端７１０によって送信される送信信号を受信するよう構成される。
【００７４】
第２の処理ユニット７２２は、シングルキャリアシステムによって送信される第１の信号、及びマルチキャリアシステムによって送信される第２の信号の受信を完了するよう構成される。
【００７５】
上記の説明によると、この実施形態は、信号送信が送信端７１０と受信端７２０との間で実行されるとき、シングルキャリアシステムとマルチキャリアシステムとの間の相互干渉を低減させ、複数の異種システムの間で複数のスペクトル資源が共有されることを保証し、スペクトル利用率を改善し得る。
【００７６】
送信端７１０及び受信端７２０の構成要素として、複数の上記のモジュールは、物理的ブロックであってもよいし、物理的ブロックでなくてもよいことに注意すべきである。複数の上記のモジュールは、一カ所に配置されてもよいし、複数のネットワークユニットにわたって分散されてもよい。複数の上記のモジュールは、ハードウェアの形態で実装されてもよく、ソフトウェアの複数の機能ブロックの形態で実装されてもよい。それらのモジュールのいくつか、又は全ては、実際の複数の要求に応じて選択されて、この実施形態の複数の解決目的を実現し得る。
【００７７】
本発明は、複数の上記の実施形態の信号送信方法及び信号受信方法に基づいて、送信端８１０及び受信端８２０をさらに提供する。図８において示されるように、この実施形態の送信端８１０は、第１の受信機８１１、第１のプロセッサ８１２、及び第１の送信機８１３を含み、受信端８２０は、第２の受信機８２１及び第２のプロセッサ８２２を含む。
【００７８】
第１の受信機８１１は、ユーザによって送信されるべき通信コンテンツを受信するよう構成される。
【００７９】
第１のプロセッサ８１０は、通信コンテンツに従って、シングルキャリアシステムによって送信されるべき第１の信号と、マルチキャリアシステムによって送信されるべき第２の信号とを取得し、シングルキャリアシステムによって送信されるべき第１の信号に対応する第１の周波数帯域を、マルチキャリアシステムによって送信されるべき第２の信号に対応する第２の周波数帯域に変調し、少なくとも第１の信号及び／又は第２の信号を含む送信信号を得るよう構成される。ここで、第１の信号は複数の第１のサブチャネルによって伝送され、第２の信号は複数の第２のサブチャネルによって伝送され、第１のサブチャネルの中心周波数は、第２のサブチャネルの中心周波数と揃えられ、第１のサブチャネルに対応する信号帯域幅は、第２のサブチャネルに対応する信号帯域幅より小さいか又はそれに等しい。
【００８０】
第１の送信機８１３は、受信端８２０に送信信号を送信するよう構成される。
【００８１】
第２の受信機８２１は、送信端８１０によって送信される送信信号を受信するよう構成される。
【００８２】
第２のプロセッサ８２２は、シングルキャリアシステムによって送信される第１の信号と、マルチキャリアシステムによって送信される第２の信号との受信を完了するよう構成される。
【００８３】
結論として、本発明は、送信端が、シングルキャリアシステムによって送信されるべき第１の信号に対応する第１の周波数帯域を、マルチキャリアシステムによって送信される第２の信号に対応する第２の周波数帯域に変調して、少なくとも第１の信号及び／又は第２の信号を含む送信信号を得、チャネルを介して受信端に送信信号を送信し、その結果、受信端が、第１の信号及び第２の信号の受信を完了することを意図する。複数の第１のサブバンドの中心周波数は、複数の第２のサブバンドの中心周波数と揃えられ、第１のサブバンドに対応する信号帯域幅は、第２のサブバンドに対応する信号帯域幅より小さいか又はそれに等しい。それにより、信号送信中のシングルキャリアシステムとマルチキャリアシステムとの間の相互干渉を低減させ、複数のスペクトル資源が複数の異種システムの間で共有されることを保証し、スペクトル利用率を改善する。
【００８４】
上記の説明は、本発明の単なる複数の実施形態に過ぎず、本発明の保護範囲はそれらに限定されない。本発明の本明細書及び複数の添付の図面の内容に従って、又は、他の関連する複数の技術分野において本発明を直接的若しくは間接的に適用することによって成されるあらゆる構造若しくは処理に対する等価な変更は、本発明の保護範囲に含まれる。
【図１】
2016531527.tif 000013
【図２】
2016531527.tif 000014
【図３】
2016531527.tif 000015
【図４】
2016531527.tif 000016
【図５】
2016531527.tif 000017
【図６】
2016531527.tif 000018
【図７】
2016531527.tif 000019
【図８】
2016531527.tif 000020
【手続補正書】
【提出日】平成28年4月22日(2016.4.22)
【手続補正１】
【補正対象書類名】明細書
【補正対象項目名】００２０
【補正方法】変更
【補正の内容】
【００２０】
第４の態様の実施例を参照すると、第１の可能な実施例において、当該処理ユニットは、送信信号に対してアナログ−デジタル変換を実行して、対応するデジタル信号を得、デジタル信号にダウンコンバージョンを実行して、第１の信号に対応する第１の周波数帯域、及び第２の信号に対応する第２の周波数帯域を復調し、シングルキャリアシステムによって送信される第１の信号、及びマルチキャリアシステムによって送信される第２の信号を取得するようさらに構成され、処理ユニットは、第１の信号及び第２の信号に対して別々に、コンスタレーション図の解析及びチャネルのデコードを連続的に実行して、対応する通信データを得るようさらに構成される。
【手続補正２】
【補正対象書類名】明細書
【補正対象項目名】００３７
【補正方法】変更
【補正の内容】
【００３７】
この実施形態は、シングルキャリアシステムによって送信されるべき第１の信号と、マルチキャリアシステムによって送信されるべき第２の信号とを結合して１つの信号にすることと解釈され得、それにより、シングルキャリアシステム及びマルチキャリアシステムの共存を実施する。加えて、シングルキャリアシステムによって送信されるべき第１の信号の中心周波数は、マルチキャリアシステムによって送信されるべき第２の信号の中心周波数と揃えられるように設定され、その結果、第１の信号の周波数及び第２の信号の周波数は極めて近接する。第２の信号への第１の信号の干渉は比較的低く、それに応じて、スペクトル拡散は低減させられ得る。さらに、第１の信号に対応する第１の周波数帯域の帯域幅は、第２の信号に対応する第２の周波数帯域の帯域幅より小さいか又はそれに等しく、チャネル上の第２の信号に対応する総帯域幅は、チャネル上の第１の信号に対応する総帯域幅よりはるかに大きく、その結果、第１の信号は、第２の信号と比較して、単なる比較的に低いノイズであり、極めて低い干渉を有する。
【手続補正３】
【補正対象書類名】明細書
【補正対象項目名】００４３
【補正方法】変更
【補正の内容】
【００４３】
図３を参照すると、共存周波数帯域は、シングルキャリアシステムによって送信されるべき第１の信号に対応する第１の周波数帯域３１０と、マルチキャリアシステムによって送信されるべき第２の信号に対応する第２の周波数帯域３２０とを含む。第１の周波数帯域３１０は、第２の周波数帯域３２０の片側に設定される。ガードインターバルＤは、第１の周波数帯域３１０と第２の周波数帯域３２０との間に設定され、Ｄの値は０より大きい。加えて、第１の信号は、チャネル２２０の複数の第１のサブチャネル、すなわち、ｂ１...ｂｎによって伝送される。当該複数の第１のサブチャネルは、複数の等しい又は等しくない信号帯域幅を有する。第２の信号は、チャネル２２０の複数の第２のサブチャネル、すなわち、ａ１...ａｎによって伝送される。当該複数の第２のサブチャネルは複数の等しい又は等しくない信号帯域幅を有する。第１のサブチャネルｂ１及び第２のサブチャネルａ１は、第１の周波数帯域３１０及び第２の周波数帯域３２０の接合部分に位置し、第１のサブチャネルｂ１と第２のサブチャネルａ１との間隔はＥである。任意の２つのサブチャネル、例えば、第２の周波数帯域３２０のａ１及びａ２、の間隔は、Ｆである。第１のサブチャネルｂ１...ｂｎの中心周波数Ｂは、第２のサブチャネルａ１...ａｎの中心周波数Ａと揃えられる。間隔Ｅ＝ｘ×Ｆである。式中、ｘは正の整数である。任意の第１のサブチャネルｂｎに対応する信号帯域幅ｄ１は、任意の第２のサブチャネルａ２に対応する信号帯域幅ｄ２より小さいか又はそれに等しい。つまり、複数の第１のサブチャネルｂ１...ｂｎの信号帯域幅の最大値は、複数の第２のサブチャネルａ１...ａｎの信号帯域幅の最小値より小さいか又はそれに等しい。
【手続補正４】
【補正対象書類名】明細書
【補正対象項目名】００４４
【補正方法】変更
【補正の内容】
【００４４】
シングルキャリアシステムの代表的なものは、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムであり、マルチキャリアシステムの代表的なものは、ＯＦＤＭ（直交周波数分割多重）システムである。故に、説明の便宜上、この実施形態は、関連する複数のパラメータを定義すべく、複数の例として、ＧＳＭ（登録商標）システム及びＯＦＤＭシステムを使用する。本発明のシングルキャリアシステム及びマルチキャリアシステムはそれらに限定されないことが理解されるべきである。この実施形態は具体的に以下のようなものである。
【手続補正５】
【補正対象書類名】明細書
【補正対象項目名】００５１
【補正方法】変更
【補正の内容】
【００５１】
上記の例は、ＧＳＭ（登録商標）システムによる使用のために、ＯＦＤＭシステムの２０Ｍの周波数帯域から、１．０８Ｍの周波数帯域を分割するものと解釈され得る。ＧＳＭ（登録商標）システムの複数の第１のサブチャネル２２１の中心周波数は、ＯＦＤＭシステムの複数の第２のサブチャネル２２２の中心周波数と揃えられる、すなわち、ＧＳＭ（登録商標）システムの複数の第１のサブチャネル２２１の一セットの中心周波数は、ＯＦＤＭシステムの複数の第２のサブチャネル２２２の一サブセットの中心周波数であり、特定のパラメータは、
【数１０】
2016531527.tif 000021
のように表現される。故に、受信端２３０がＧＳＭ（登録商標）システムによって送信される第１の信号と、ＯＦＤＭシステムによって送信される第２の信号とを受信するとき、第１の信号及び第２の信号に対応する周波数は極めて近接しており、第１の信号及び第２の信号は、必要とされる対応するデバイスを共有し得る。加えて、ガードインターバルの設定が、第１の信号及び第２の信号の受信中の相互干渉を低減させる、すなわち、スペクトル拡散によって引き起こされる干渉が低減され得る。加えて、第１のサブチャネル２２１に対応する信号帯域幅は、第２のサブチャネルに対応する信号帯域幅より小さいか又はそれに等しく、特定のパラメータは、ＢＷ−Ｓｕｂ−Ｎｅｗ≦ＢＷ−Ｓｕｂ−Ｏｌｄのように表現され、その結果、シングルキャリアシステムによって送信される第１の信号は、マルチキャリアシステムによって送信される第２の信号と比較して、単なる比較的に低いノイズであり、極めて低い干渉を有する。
【手続補正６】
【補正対象書類名】明細書
【補正対象項目名】００５７
【補正方法】変更
【補正の内容】
【００５７】
段階Ｓ１１においてアップコンバージョンが実行されるとき、シングルキャリアシステムによって送信されるべき第１の信号に対応する第１の周波数帯域３１０は、マルチキャリアシステムによって送信されるべき第２の信号に対応する第２の周波数帯域３２０の間に設定される。つまり、図４において示されるように、第２の周波数帯域３２０は、第１の局所周波数帯域（ｒｅｇｉｏｎａｌ  ｆｒｅｑｕｅｎｃｙ  ｂａｎｄ）３２１及び第２の局所周波数帯域３２２を含み、第１の周波数帯域３１０は、第１の局所周波数帯域３２１と第２の局所周波数帯域３２２との間に設定される。この場合、ガードインターバルは、第１の周波数帯域３１０と第２の局所周波数帯域３２１との間の第１のガードインターバルＧａｐ１、及び、第１の周波数帯域３１０と第２の局所周波数帯域３２２との間の第２のガードインターバルＧａｐ２とを含むＧａｐである。受信端２３０における受信中の相互干渉を回避すべく、この実施形態は、Ｇａｐ１＞０且つＧａｐ２＞０のように設定し、好ましくは、Ｇａｐ１及びＧａｐ２は等しい値に設定され、両方とも６０Ｈｚである。
【手続補正７】
【補正対象書類名】明細書
【補正対象項目名】００７１
【補正方法】変更
【補正の内容】
【００７１】
第１の処理ユニット７１２は、通信コンテンツに従って、シングルキャリアシステムによって送信あれるべき第１の信号と、マルチキャリアシステムによって送信されるべき第２の信号とを取得し、シングルキャリアシステムによって送信されるべき第１の信号に対応する第１の周波数帯域を、マルチキャリアシステムによって送信されるべき第２の信号に対応する第２の周波数帯域に変調し、少なくとも第１の信号及び／又は第２の信号を含む送信信号を得るよう構成される。ここで、第１の信号は複数の第１のサブチャネルによって伝送され、第２の信号は複数の第２のサブチャネルによって伝送され、第１のサブチャネルの中心周波数は、第２のサブチャネルの中心周波数と揃えられ、第１のサブチャネルに対応する信号帯域幅は、第２のサブチャネルに対応する信号帯域幅より小さいか又はそれに等しい。
【手続補正８】
【補正対象書類名】明細書
【補正対象項目名】００８３
【補正方法】変更
【補正の内容】
【００８３】
結論として、本発明は、送信端が、シングルキャリアシステムによって送信されるべき第１の信号に対応する第１の周波数帯域を、マルチキャリアシステムによって送信される第２の信号に対応する第２の周波数帯域に変調して、少なくとも第１の信号及び／又は第２の信号を含む送信信号を得、チャネルを介して受信端に送信信号を送信し、その結果、受信端が、第１の信号及び第２の信号の受信を完了することを意図する。複数の第１のサブチャネルの中心周波数は、複数の第２のサブチャネルの中心周波数と揃えられ、第１のサブチャネルに対応する信号帯域幅は、第２のサブチャネルに対応する信号帯域幅より小さいか又はそれに等しい。それにより、信号送信中のシングルキャリアシステムとマルチキャリアシステムとの間の相互干渉を低減させ、複数のスペクトル資源が複数の異種システムの間で共有されることを保証し、スペクトル利用率を改善する。
【手続補正９】
【補正対象書類名】特許請求の範囲
【補正対象項目名】全文
【補正方法】変更
【補正の内容】
【特許請求の範囲】
【請求項１】
シングルキャリアシステム及びマルチキャリアシステムの共存のための信号送信方法であって、
送信信号を得るべく、送信端が、前記シングルキャリアシステムによって送信されるべき第１の信号に対応する第１の周波数帯域を、前記マルチキャリアシステムによって送信されるべき第２の信号に対応する第２の周波数帯域に変調する段階であって、前記送信信号は前記第１の信号及び前記第２の信号のうちの少なくとも１つを含み、前記第１の信号は複数の第１のサブチャネルによって伝送され、前記第２の信号は複数の第２のサブチャネルによって伝送され、前記複数の第１のサブチャネルのそれぞれの中心周波数と、前記複数の第２のサブチャネルのそれぞれの中心周波数との間隔は、２つの隣接する第２のサブチャネルの間隔の整数倍であり、前記第１のサブチャネルに対応する信号帯域幅は、前記第２のサブチャネルに対応する信号帯域幅より小さいか又はそれに等しい、段階と、
前記第１の信号及び前記第２の信号の受信を完了するために、前記送信信号を受信端に送信する段階と、を備える
方法。
【請求項２】
ガードインターバルを、前記第１の周波数帯域と前記第２の周波数帯域との間に設定する段階を備える
請求項１に記載の方法。
【請求項３】
前記送信端が基地局であり、前記受信端が携帯電話である場合、送信信号を得るべく、送信端が、前記シングルキャリアシステムによって送信されるべき第１の信号に対応する第１の周波数帯域を、前記マルチキャリアシステムによって送信されるべき第２の信号に対応する第２の周波数帯域に変調する前記段階は、
前記シングルキャリアシステムによって送信されるべき前記第１の信号に対応する前記第１の周波数帯域を取得すべく、前記送信端が、送信されるべき通信データに対して、チャネルコーディング、コンスタレーション図のマッピング、マルチレートフィルタリング、及びアップコンバージョンを連続的に実行し、共存周波数帯域を得るべく、前記第１の周波数帯域を、前記マルチキャリアシステムによって送信されるべき前記第２の信号に対応する前記第２の周波数帯域に変調する段階と、
前記送信信号を得るべく、前記共存周波数帯域に対応するデジタル信号に対してデジタル−アナログ変換を実行する段階と、を含む
請求項１又は２に記載の方法。
【請求項４】
前記送信端が携帯電話であり、前記受信端が基地局である場合、送信信号を得るべく、送信端が、前記シングルキャリアシステムによって送信されるべき第１の信号に対応する第１の周波数帯域を、前記マルチキャリアシステムによって送信されるべき第２の信号に対応する第２の周波数帯域に変調する前記段階は、
前記送信端が、前記シングルキャリアシステムによって送信されるべき通信データ、及び前記マルチキャリアシステムによって送信されるべき通信データに対して別々に、チャネルコーディング、コンスタレーション図のマッピング、及びデジタル−アナログ変換を連続的に実行する段階と、
前記第１の信号に対応する前記第１の周波数帯域を取得すべく、前記シングルキャリアシステムによって送信されるべき前記第１の信号、及び前記マルチキャリアシステムによって送信されるべき前記第２の信号であって、デジタル−アナログ変換が実行された前記第１の信号及び前記第２の信号に対してアップコンバージョンを実行し、共存周波数帯域と、前記共存周波数帯域に対応する前記送信信号とを得るべく、前記第１の周波数帯域を、前記第２の信号に対応する前記第２の周波数帯域に変調する段階と、を含む
請求項１から３の何れか一項に記載の方法。
【請求項５】
前記シングルキャリアシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））システムであり、前記マルチキャリアシステムは、直交周波数分割多重（ＯＦＤＭ）システムである
請求項１から４の何れか一項に記載の方法。
【請求項６】
送信信号を得るべく、シングルキャリアシステムによって送信されるべき第１の信号に対応する第１の周波数帯域を、マルチキャリアシステムによって送信されるべき第２の信号に対応する第２の周波数帯域に変調するよう構成される処理ユニットであって、前記送信信号は、前記第１の信号及び前記第２の信号のうちの少なくとも１つを含み、前記第１の信号は複数の第１のサブチャネルによって伝送され、前記第２の信号は複数の第２のサブチャネルによって伝送され、前記第１のサブチャネルの中心周波数と前記第２のサブチャネルの中心周波数との間隔は、２つの隣接する第２のサブチャネルの間隔の整数倍であり、前記第１のサブチャネルに対応する信号帯域幅は、前記第２のサブチャネルに対応する信号帯域幅より小さいか又はそれに等しい、処理ユニットと、
前記第１の信号及び前記第２の信号の受信を完了するために、前記処理ユニットによって得られる前記送信信号を受信し、受信端に前記送信信号を送信するよう構成される送信ユニットと、を備える
送信端。
【請求項７】
前記処理ユニットは、前記第１の周波数帯域と前記第２の周波数帯域との間にガードインターバルを設定するよう構成される
請求項６に記載の送信端。
【請求項８】
前記処理ユニットは、前記送信端が基地局であり、前記受信端が携帯電話である場合、前記シングルキャリアシステムによって送信されるべき前記第１の信号に対応する前記第１の周波数帯域を取得すべく、送信されるべき通信データに対して、チャネルコーディング、コンスタレーション図のマッピング、マルチレートフィルタリング、及びアップコンバージョンを連続的に実行し、共存周波数帯域を得るべく、前記第１の周波数を、前記第２の信号に対応する前記第２の周波数帯域に変調し、前記送信信号を得るべく、前記共存周波数帯域に対応する信号に対してデジタル−アナログ変換を実行するようさらに構成される
請求項６又は７に記載の送信端。
【請求項９】
前記処理ユニットは、前記送信端が携帯電話であり、前記受信端が基地局である場合、前記シングルキャリアシステムによって送信されるべき通信データ、及び前記マルチキャリアシステムによって送信されるべき通信データに対して別々に、チャネルコーディング、コンスタレーション図のマッピング、及びデジタル−アナログ変換を連続的に実行し、前記シングルキャリアシステムによって送信されるべき前記第１の信号に対応する前記第１の周波数帯域を取得すべく、デジタル−アナログ変換が実行された前記第１の信号及び前記第２の信号に対してアップコンバージョンを実行し、共存周波数帯域と、前記共存周波数帯域に対応する前記送信信号とを得るべく、前記第１の周波数帯域を、前記マルチキャリアシステムによって送信されるべき前記第２の信号に対応する前記第２の周波数帯域に変調するようさらに構成される
請求項６から８の何れか一項に記載の送信端。
【請求項１０】
前記シングルキャリアシステムはＧＳＭ（登録商標）システムであり、前記マルチキャリアシステムはＯＦＤＭシステムである
請求項６から９の何れか一項に記載の送信端。
【請求項１１】
シングルキャリアシステム及びマルチキャリアシステムの共存のための信号受信方法であって、
受信端が、送信端によって送信される送信信号を受信する段階であって、前記送信信号は、第１の信号及び第２の信号のうちの少なくとも１つを含み、前記シングルキャリアシステムによって送信される前記第１の信号に対応する第１の周波数帯域は、前記マルチキャリアシステムによって送信される前記第２の信号に対応する第２の周波数帯域に変調され、前記第１の信号は複数の第１のサブチャネルによって伝送され、前記第２の信号は複数の第２のサブチャネルによって伝送され、前記第１のサブチャネルの中心周波数と、前記第２のサブチャネルの中心周波数との間隔は、２つの隣接する第２のサブチャネルの間隔の整数倍であり、前記第１のサブチャネルに対応する信号帯域幅は、前記第２のサブチャネルに対応する信号帯域幅より小さいか又はそれに等しい、段階と、
前記受信端が、前記シングルキャリアシステムによって送信される前記第１の信号と、前記マルチキャリアシステムによって送信される前記第２の信号との受信を完了する段階と、を備える
方法。
【請求項１２】
受信端が、送信端によって送信される送信信号を受信する前記段階の後、
対応するデジタル信号を得るべく、前記送信信号に対してアナログ−デジタル変換を実行する段階と、
前記第１の信号に対応する前記第１の周波数帯域と、前記第２の信号に対応する前記第２の周波数帯域とを復調し、前記シングルキャリアシステムによって送信される前記第１の信号と、前記マルチキャリアシステムによって送信される前記第２の信号とを取得すべく、前記デジタル信号に対してダウンコンバージョンを実行する段階と、
対応する通信データを得るべく、前記第１の信号及び前記第２の信号に対して別々に、コンスタレーション図の解析、及びチャネルデコードを連続的に実行する段階と、を備える
請求項１１に記載の方法。
【請求項１３】
前記シングルキャリアシステムはＧＳＭ（登録商標）システムであり、前記マルチキャリアシステムはＯＦＤＭシステムであり、前記送信端は携帯電話であり、前記受信端は基地局であるか、又は前記送信端は基地局であり、前記受信端は携帯電話である
請求項１１又は１２に記載の方法。
【請求項１４】
送信端によって送信される送信信号を受信するよう構成される受信ユニットであって、前記送信信号は、第１の信号及び第２の信号のうちの少なくとも１つを含み、シングルキャリアシステムによって送信される前記第１の信号に対応する第１の周波数帯域は、マルチキャリアシステムによって送信される前記第２の信号に対応する第２の周波数帯域に変調され、前記第１の信号は複数の第１のサブチャネルによって伝送され、前記第２の信号は複数の第２のサブチャネルによって伝送され、前記第１のサブチャネルの中心周波数と、前記第２のサブチャネルの中心周波数との間隔は、２つの隣接する第２のサブチャネルの間隔の整数倍であり、前記第１のサブチャネルに対応する信号帯域幅は、前記第２のサブチャネルに対応する信号帯域幅より小さいか又はそれに等しい、受信ユニットと、
前記受信ユニットによって受信される前記送信信号に従って、前記シングルキャリアシステムによって送信される前記第１の信号、及び、前記マルチキャリアシステムによって送信される前記第２の信号の受信を完了するよう構成される処理ユニットと、を備える
受信端。
【請求項１５】
前記処理ユニットは、対応するデジタル信号を得るべく、前記送信信号に対してアナログ−デジタル変換を実行し、前記第１の信号に対応する前記第１の周波数帯域と、前記第２の信号に対応する前記第２の周波数帯域とを復調して、前記シングルキャリアシステムによって送信される前記第１の信号と、前記マルチキャリアシステムによって送信される前記第２の信号とを取得すべく、前記デジタル信号に対してダウンコンバージョンを実行するようさらに構成され、前記処理ユニットはさらに、対応する通信データを得るべく、前記第１の信号及び前記第２の信号に対して別々に、コンスタレーション図の解析及びチャネルデコードを連続的に実行するようさらに構成される
請求項１４に記載の受信端。
【請求項１６】
前記シングルキャリアシステムはＧＳＭ（登録商標）システムであり、前記マルチキャリアシステムはＯＦＤＭシステムであり、前記送信端は携帯電話であり、前記受信端は基地局であるか、又は前記送信端は基地局であり、前記受信端は携帯電話である
請求項１４又は１５に記載の受信端。
【手続補正１０】
【補正対象書類名】図面
【補正対象項目名】図７
【補正方法】変更
【補正の内容】
【図７】
2016531527.tif 000022
【手続補正１１】
【補正対象書類名】図面
【補正対象項目名】図８
【補正方法】変更
【補正の内容】
【図８】
2016531527.tif 000023
【国際調査報告】
2016531527.tif 000024
2016531527.tif 000025
2016531527.tif 000026
2016531527.tif 000027